(57)【要約】本発明は、効率的な雨水管理と街路樹根の生長調節が可能な集水境界ブロックに関し、上部が開放されて内部に空間部が形成される函体形態の本体と、本体の上部に安着し、複数の雨水流入口が貫通形成されるグレーティングと、空間部と連通するように本体の下端部の一側に形成されて空間部に貯蔵された水を地中に供給する排水口とを含む。
2019526726.tif 000002
【特許請求の範囲】
【請求項１】
上部が開放されて内部に空間部が形成される函体形態の本体と、
前記本体の上部に安着し、複数の雨水流入口が貫通形成されるグレーティングと、
前記空間部と連通するように前記本体の下端部の一側に形成され、前記空間部に貯蔵された水を地中に供給する排水口とを含む、集水境界ブロック。
【請求項２】
前記空間部と連通するように前記排水口の上部に形成され、前記空間部に水を供給できるように地面に露出する上端部に栓が結合される水供給管をさらに含むことを特徴とする、請求項１に記載の集水境界ブロック。
【請求項３】
前記排水口は、地中に供給される水の量を調節するための流量調節部材を有することを特徴とする、請求項１に記載の集水境界ブロック。
【請求項４】
前記空間部に収容されて孔隙を有するウレタンまたは透水コンクリートをさらに含むことを特徴とする、請求項１に記載の集水境界ブロック。
【請求項５】
前記空間部に水が充満する時、隣接する他の集水境界ブロックまたは排水管に越流するように前記本体の上端部の一側に前記空間部と連通するように形成される連結具をさらに含むことを特徴とする、請求項１に記載の集水境界ブロック。
【請求項６】
前記連結具と対応結合するように前記本体の上端部の他側に貫通形成される連結穴をさらに含むことを特徴とする、請求項５に記載の集水境界ブロック。
【請求項７】
根拡張防止台または結合ブラケットとの結合のために、前記本体の一面に突出形成される締結部をさらに含むことを特徴とする、請求項１に記載の集水境界ブロック。
【請求項８】
床面に複数の流入穴が貫通形成された函体形態であり、内部にフィルタが収納され、前記本体の空間部の上端に結合されるフィルタ収納部をさらに含むことを特徴とする、請求項１に記載の集水境界ブロック。
【請求項９】
前記グレーティングは、天井面に複数の雨水流入口が貫通形成されるカバーと、前記カバーの天井面の内側に上下方向に回動可能にヒンジ結合される複数のフラップとを含み、前記フラップは、前記雨水流入口を開閉するように前記雨水流入口方向に弾性支持されることを特徴とする、請求項１に記載の集水境界ブロック。
【請求項１０】
前記本体は、長さ方向両端の上側面にそれぞれ内側に折り曲げられて形成される安着部と、前記安着部に突出形成される少なくとも一つ以上の挿入突起と、内側面に少なくとも一つ以上突出形成される支持段差とを含み、
前記支持段差の上側に格子網が安着し、前記格子網の上側に不織布フィルタが安着することを特徴とする、請求項９に記載の集水境界ブロック。
【請求項１１】
前記カバーは、下端が開放された函体形態であり、幅方向一側の下端に所定の幅を有するように外側に突出して長さ方向に沿って長く延長形成されるフランジ部と、長さ方向両側の下端に内側に所定の長さで延長形成される支持部と、前記支持部に形成される挿入溝とを含み、
前記本体と前記グレーティングとの結合時、前記本体の挿入突起が前記カバーの挿入溝に対応結合して前記グレーティングの流動が防止されることを特徴とする、請求項１０に記載の集水境界ブロック。
【発明の詳細な説明】
【技術分野】
【０００１】
本発明は、集水境界ブロックに関し、より詳細には効率的な雨水管理と街路樹根の生長調節が可能な集水境界ブロックに関する。
【背景技術】
【０００２】
雨水の迅速な排水のために設置される雨水集水システムは、集水井と排水路からなる。このような雨水集水システムにおいて、道路の側溝に設けられる集水井は、下側が下水本管と連結され、上側面には排水路が配置されているので、雨水は排水路に沿って流れ、集水井の内部に自然に流れて下水本管に流入される。
【０００３】
雨水集水システムの集水井および排水路の上部は、一般的に雨水を通過させながらも人が安全に通れるようにグレーティングで仕上げられるが、この時、グレーティングの設置のために集水井の上側および排水路には路面上部の垂直の圧縮荷重に対応するためのフレームが設置され、フレームの支持部にグレーティングが安着する方法で仕上げられる。
【０００４】
しかし、グレーティングおよびフレームは、都市の美観を確保するために道路の周辺に造成される樹木の保護用としても設置されている。一般に多数のフレームが樹木の周辺を囲むように配置されて埋設され、フレームにグレーティングが安着する方法で設置される。この時、樹木の根は、樹木の成長と共に根も成長するので、場合によっては樹木が育つことによって根が歩道ブロックまたは道路に浸透して街路樹の根および歩道ブロックまたは道路が毀損される問題がある。
【０００５】
したがって、樹木の管理に多くの予算が入り、不注意による事故が発生し、都市インフラの破壊となる問題があり、一方では雨水集水システムの迅速な排水によって雨水が地中に十分に染み込むことができず、土壌が固結化され、渇水期に樹木が水分不足で枯死する問題も発生している。
【発明の概要】
【発明が解決しようとする課題】
【０００６】
本発明は、前述した問題点を解決するために案出されたものであり、集水効率に優れ、都心の砂漠化を防止できる集水境界ブロックを提供することに目的がある。
【０００７】
本発明の他の目的は、樹木根の拡張を防止し、樹木の枯死を防止できる集水境界ブロックを提供することにある。
【０００８】
本発明のまた他の目的は、地中に供給される水の量を調節できる集水境界ブロックを提供することにある。
【０００９】
本発明のまた他の目的は、異物の流入を防止できる集水境界ブロックを提供することにある。
【００１０】
本発明のまた他の目的は、雨水の貯水および土壌への通水が可能な集水境界ブロックを提供することにある。
【００１１】
本発明のまた他の目的は、適正容量以上の雨水の排除のために排水管に通水が可能な集水境界ブロックを提供することにある。
【課題を解決するための手段】
【００１２】
前述した本発明の目的は、上部が開放されて内部に空間部が形成される函体形態の本体と、前記本体の上部に安着し、複数の雨水流入口が貫通形成されるグレーティングと、前記空間部と連通するように前記本体の下端部の一側に形成され、前記空間部に貯蔵された水を地中に供給する排水口とを含む集水境界ブロックを提供することによって達成され得る。
【００１３】
本発明の一特徴によれば、前記空間部と連通するように前記排水口の上部に形成され、前記空間部に水を供給できるように地面に露出する上端部に栓が結合される水供給管をさらに含み得る。
【００１４】
本発明の他の特徴によれば、前記排水口は、地中に供給される水の量を調節するための流量調節部材を有し得る。
【００１５】
本発明のまた他の特徴によれば、前記空間部に収容されて孔隙を有するウレタンまたは透水コンクリートをさらに含み得る。
【００１６】
本発明のまた他の特徴によれば、前記空間部に水が充満する時、隣接する他の集水境界ブロックまたは排水管に越流するように前記本体の上端部の一側に前記空間部と連通するように形成される連結具をさらに含み得る。
【００１７】
本発明のまた他の特徴によれば、前記連結具と対応結合するように前記本体の上端部の他側に貫通形成される連結穴をさらに含み得る。
【００１８】
本発明のまた他の特徴によれば、根拡張防止台または結合ブラケットとの結合のために、前記本体の一面に突出形成される締結部をさらに含み得る。
【００１９】
本発明のまた他の特徴によれば、床面に複数の流入穴が貫通形成された函体形態であり、内部にフィルタが収納され、前記本体の空間部の上端に結合されるフィルタ収納部をさらに含み得る。
【００２０】
本発明のまた他の特徴によれば、前記グレーティングは、天井面に複数の雨水流入口が貫通形成されるカバーと、前記カバーの天井面の内側に上下方向に回動可能にヒンジ結合される複数のフラップとを含み、前記フラップは、前記雨水流入口を開閉するように前記雨水流入口方向に弾性支持され得る。
【００２１】
本発明のまた他の特徴によれば、前記本体は、長さ方向両端の上側面にそれぞれ内側に折り曲げられて形成される安着部と、前記安着部に突出形成される少なくとも一つ以上の挿入突起と、内側面に少なくとも一つ以上突出形成される支持段差を含み、前記支持段差の上側に格子網が安着し、前記格子網の上側に不織布フィルタが安着し得る。
【００２２】
本発明のまた他の特徴によれば、前記カバーは、下端が開放された函体形態であり、幅方向一側の下端に所定の幅を有するように外側に突出して長さ方向に沿って長く延長形成されるフランジ部と、長さ方向両側の下端に内側に所定の長さで延長形成される支持部と、前記支持部に形成される挿入溝を含み、前記本体と前記グレーティングとの結合時、前記本体の挿入突起が前記カバーの挿入溝に対応結合して前記グレーティングの流動が防止され得る。
【発明の効果】
【００２３】
本発明による集水境界ブロックによれば、グレーティングを介して本体の内部に雨水が集水されるので、集水効率が向上する効果がある。
【００２４】
また、本発明による集水境界ブロックによれば、排水口を介して空間部に貯蔵された水が地中に持続して供給されるので、都心の砂漠化と樹木の枯死を防止できる。
【００２５】
また、本発明による集水境界ブロックによれば、排水口を介して地中に供給される水の量を調節できる。
【００２６】
また、本発明による集水境界ブロックによれば、日照りなど渇水期にも地面に露出した水供給管を介して本体の空間部に水を供給することによって、持続して地中に水を伝達できる。
【００２７】
また、本発明による集水境界ブロックによれば、グレーティングの雨水流入口がフラップによって開閉されるので、ほこりや落葉などの異物が本体の空間部に流入することを防止できる。
【００２８】
また、本発明による集水境界ブロックによれば、本体空間部に貯蔵された水があふれる場合、隣接した他の集水境界ブロックまたは排水管に越流して充填される。
【図面の簡単な説明】
【００２９】
【図１】本発明の第１実施例による集水境界ブロックの斜視図。
【図２】図１の分解斜視図。
【図３】図１の断面図。
【図４】本発明の第１実施例による集水境界ブロックの使用状態図。
【図５】本発明の第２実施例による集水境界ブロックの分解斜視図。
【図６】本発明の第３実施例による集水境界ブロックの斜視図。
【図７】本発明の第３実施例による集水境界ブロックの使用状態図。
【図８】本発明の第３実施例による集水境界ブロックの結合図。
【図９】本発明の第３実施例による集水境界ブロックと根拡張防止台の結合図。
【発明の実施のための最良の形態】
【００３０】
以下では、本発明の実施例について添付する図面を参照して詳細に説明する。ただし、以下で説明する実施例は、本発明が属する技術分野における通常の知識を有する者が発明を簡単に実施できるほど詳細に説明するためのものに過ぎなく、これによって本発明の保護の範囲を限定することを意味しない。また、本発明の様々な実施例を説明することにおいて、同じ技術的特徴を有する構成要素に対しは同じ図面符号を付ける。
【００３１】
第１実施例
図１は本発明の第１実施例による集水境界ブロックの斜視図であり、図２は図１の分解斜視図であり、図３は図１の断面図である。
【００３２】
図１ないし図３に示すように本発明の第１実施例による集水境界ブロック１００は、雨水が貯蔵されるように内部に空間部２１０が形成される本体２００と、本体２００の上部に安着するグレーティング５００と、本体２００の下端部の一側に形成されて地中に水を供給する排水口２７０とを含む。
【００３３】
ここで、本体２００とグレーティング５００は、錆びにくいアルミニウムやステンレススチールなどの金属材質からなる。
【００３４】
本体２００は、上端が開放された六面体の函体形態で形成され得、例えば、幅より長さが長い直六面体形態で形成され得る。本体２００の内部には雨水など外部から流入した水を貯蔵できる空間部２１０が形成される。この空間部２１０には孔隙を有するウレタン、または透水コンクリートが収容され得る。
【００３５】
この時、本体２００は、製作費用の節減のために幅方向に分割された２個のパーツ２０１，２０２に製作された後に溶接またはボルト締結などの方法で結合され得る。２個のパーツ２０１，２０２の結合部には漏水防止のためにゴムやシリコンなどのシーリング部材２０３が結合部に沿ってボルト締結などの方法で付着または塗布される。
【００３６】
ただし、上述した通り、金属素材を用いて本体２００を２個のパーツに製作した後に組み立てることは本発明の一実施例に過ぎず、必要に応じて本体２００を一体型に成形できることはもちろんである。例えば、ゴムやビニルまたはプラスチックなどの合成樹脂素材を用いて、函体形態の本体２００を一度に射出成形または真空成形できる。
【００３７】
一方、本体２００の幅方向の一面の上端部には長さ方向に沿って所定の幅を有するフランジ部２２０が外側に突出形成されるが、このフランジ部２２０は、集水境界ブロック１００の施工時の埋没の深さを街路樹の根元直径の土壌の高さに合わせるためである。通常、フランジ部２２０は、歩道ブロックの地面より５０ｍｍ低く施工され得る。
【００３８】
本体２００の幅方向他面の上端部２３０は、内側に段差２４０が形成されるように、外側に折り曲げられた後に上向きに延長形成される。これは後述するフィルタ収納部３００の安着のためのものであり、本体２００の幅方向一面の内側にも段差２４０と対向して少なくとも一つ以上の突出部２５０が突出形成され得る。
【００３９】
また、本体２００の幅方向の一面には外部から本体２００の空間部２１０に水を供給できるように水供給管２６０が形成される。この水供給管２６０は、空間部２１０と連通するようにフランジ部２２０の下部に離隔して形成され、本体２００の幅方向の一面で外側に延びた後に上向きに折り曲げられて上端部が地面に露出する。地面に露出した水供給管２６０の上端部には栓２６１が結合され、使用時には栓２６１を開けて水供給管２６０を介して本体２００の空間部２１０に水を供給する。例えば、日照りなど渇水期には水供給管２６０を介して本体２００の空間部２１０に水を供給して貯蔵することによって、後述する排水口２７０を介して持続して地中に水が供給されるようにすることができる。
【００４０】
本体２００の下端部の一側には空間部２１０と連通するように排水口２７０が形成され、したがって、本体２００の空間部２１０に貯蔵された水は、この排水口２７０を介して地中に供給される。排水口２７０は、本体２００の下端部の一側に形成される貫通穴からなることもでき、図面に示すようにこの貫通穴に別途のパイプ部材が結合されて排水口２７０を形成することも可能である。
【００４１】
一方、排水口２７０で地中に供給される水の流量調節のために、排水口２７０の一側に流量調節部材が設置され得る。一例として、排水口２７０の流路に綿やスポンジなどの水吸収部材２７１を挿入するが、その材質と厚さなどの規格を適切に選択することによって、地中に供給される水の時間当りの供給流量を調節できる。他の例として、排水口２７０に合成樹脂材質のチューブ（図示せず）を結合し、このチューブの一側に別途の流量調節器（図示せず）を設置することも可能である。例えば、この流量調節器は、点滴（ｒｉｎｇｅｒ）注射時にチューブを加圧する程度を調節することによって、単位時間当りの流量を調節する輸液流量調節器からなる。また他の例として、排水口２７０の一側に排水口２７０の流路を開閉する開閉バルブ（図示せず）を設置し、この開閉バルブの開度を適切に調節することによって、排水口２７０を介して地中に供給される水の単位時間当りの流量を調節することも可能である。
【００４２】
本発明の第１実施例によれば、本体２００の上端にフィルタ収納部３００が結合されるが、このフィルタ収納部３００は、錆びにくいアルミニウムやステンレススチールなどの金属材質であり、上部が開放されて床面に複数の流入穴３１０が貫通形成された函体形態からなる。フィルタ収納部３００の結合時、フィルタ収納部３００の下端が本体２００の段差２４０と突出部２５０の上に安着し、本体２００両面の第１締結穴２０４を貫いてフィルタ収納部３００の幅方向の両面にそれぞれ形成された第２締結穴３０１に締結されるボルトなどの締結具によって固定され得る。一方、フィルタ収納部３００にはスポンジなどのフィルタ４００が収納され、雨水と共に流入する異物をこして本体２００の空間部２１０に異物が流入することを防止する。
【００４３】
フィルタ収納部３００の幅方向両面の上端部には長さ方向に沿って互いに離隔して複数の貫通穴３２０が形成される。この貫通穴３２０は、後述するグレーティング５００の側面に形成される雨水透湿口５１２と連通し、街路樹の根元直径に集まる雨水がグレーティング５００の雨水透湿口５１２とフィルタ収納部３００の貫通穴３２０とを介してフィルタ収納部３００の内部に流入する。
【００４４】
一方、本発明の他の例として、フィルタ収納部３００は、ゴムやビニルまたはプラスチックなどの合成樹脂素材を用いて射出成形または真空成形でき、この時、別途成形されたフィルタ収納部３００を金属または合成樹脂材質の本体２００に結合することもでき、本体２００とともに一体に射出または真空成形されることも可能である。
【００４５】
グレーティング５００は、フィルタ収納部３００の上側に結合され、長さ方向の両端と下部とが開放され、天井面にグリル形態で複数の雨水流入口５１１が貫通形成される「Ｕ」字の断面形態のカバー５１０と、カバー５１０の天井面の内側に設置されて雨水流入口５１１を開閉する複数のフラップ５２０とを含む。
【００４６】
図３に示すように、グレーティング５００結合時にカバー５１０内にフィルタ収納部３００の上端部が収容されるが、カバー５１０の幅方向一側の下端は、フランジ部２２０の上側に支持され、他側下端は、本体２００の幅方向の他面で外側に上向きに折り曲げられて延長形成された上端部２３０に支持される。この時、ボルトなどの締結具を用いて本体２００とグレーティング５００を結合することも可能であることはもちろんである。
【００４７】
フラップ５２０は、錆びにくいアルミニウムやステンレススチールなど金属材質のプレート形態であり、カバー５１０の天井面に上下方向に回動可能にヒンジ結合されるが、ヒンジ軸５２１に介在するトーションスプリング（図示せず）により雨水流入口５１１の方向に弾性支持され、雨水流入口５１１周辺の屈曲形態に対応する曲面を有するように形成され得る。したがって、通常はフラップ５２０が雨水流入口５１１を閉鎖してほこりや落葉など異物の流入を防止し、雨天時には図３の拡大図に示すように雨水流入口５１１に流入する雨水によって、フラップ５２０が下方回動して雨水流入口５１１が開放されて雨水がグレーティング５００の内部に流入する。
【００４８】
図４は本発明の第１実施例による集水境界ブロックの使用状態図である。
【００４９】
図４に示すように、本発明の第１実施例による集水境界ブロック１００は、街路樹から所定間隔離隔して地中に設置でき、必要に応じて街路樹の一側や両側、３方向以上で街路樹を囲むように設置され、街路樹根の生長による道路や歩道ブロックの毀損を防止できる。
【００５０】
集水境界ブロック１００の地中埋設時、歩道ブロックの地面よりフランジ部２２０が５０ｍｍ程度低く施工され得、雨天時の雨水は、グレーティング５００の上側面の雨水流入口５１１と側面の雨水透湿口５１２を介して内部に流入する。
【００５１】
グレーティング５００の内部に流入した異物は、フィルタ収納部３００に収納されたフィルタ４００によってこされ、このように異物が除去された雨水は、フィルタ収納部３００下端の流入穴３１０を介して本体２００の空間部２１０に貯蔵される。
【００５２】
本体２００の空間部２１０に貯蔵された雨水は、排水口２７０を介して地中に供給されるが、排水口２７０に備えられる流量調節部材によって一定時間の間一定の量の雨水が持続して地中に供給される得る。
【００５３】
一方、日照りなど渇水期を迎えて本体２００の空間部２１０に貯蔵された雨水の量が不足またはない場合、地面に突出した水供給管２６０の栓２６１を開けて、水供給管２６０を介して本体２００の空間部２１０に水を供給することによって街路樹の枯死を防止できる。
【００５４】
第２実施例
図５は本発明の第２実施例による集水境界ブロックの分解斜視図である。
【００５５】
本発明の第２実施例による集水境界ブロック１００ａは、前述した第１実施例とは異なって別途のフィルタ収納部３００がなく、グレーティング５００ａ下端の挿入溝５１５ａに本体２００ａ上端の挿入突起２２１ａが挿入結合される点と、本体２００ａとグレーティング５００ａとの間に格子網３１０ａと不織布フィルタ３２０ａが介在する点で差がある。
【００５６】
したがって、前述した第１実施例と同様の同一構成に対しは同じ図面符号を付与し、重複する説明は省略し、前述した第１実施例との差異点を中心に本発明の第２実施例による集水境界ブロックについて詳細に説明する。
【００５７】
本発明の第２実施例によれば、本体２００ａの長さ方向両端の上側面にそれぞれ内側に折り曲げられた安着部２２０ａが形成され，この安着部２２０ａには少なくとも一つ以上の挿入突起２２１ａが突出形成される。この挿入突起２２１ａは、本体２００ａとグレーティング５００ａとの結合のためのものであり、したがって、後述するグレーティング５００ａの下端には挿入突起２２１ａと対応して挿入溝５１５ａが形成される。
【００５８】
さらに、本体２００ａの幅方向両側の内側面と長さ方向両側の内側面にはそれぞれ支持段差２３０ａが突出形成されるが、この支持段差２３０ａは、後述する格子網３１０ａと不織布フィルタ３２０ａとを支持するためのものである。一方、前述した第１実施例のように、本体２００ａの一面の上端部には水供給管２６０が形成され、その下部には排水口２７０が形成される。
【００５９】
本体２００ａの上端には雨水と共に流入する異物をこすための不織布フィルタ３２０ａが設置されるが、先に本体２００ａ上端の開口部に格子網３１０ａが安着する。この時、格子網３１０ａは、本体２００ａの内側に突出形成される複数の支持段差２３０ａにより支持され、不織布フィルタ３２０ａは、格子網３１０ａの上側に安着する。
【００６０】
グレーティング５００ａは、下端が開放された函体形態のカバー５１０ａと、カバー５１０ａ内側の天井面に上下方向に回動可能に弾性設置されるフラップ５２０を含む。
【００６１】
カバー５１０ａの上側面にはグリル形態の雨水流入口５１１が複数貫通形成され、カバーの両側面には複数の雨水透湿口５１２が貫通形成される。
【００６２】
この時、カバー５１０ａの幅方向一側の下端には長さ方向に沿って所定の幅を有するフランジ部５１３ａが長く延長形成され、長さ方向両側の下端には内側に支持部５１４ａが所定の長さで延長形成され、この支持部５１４ａには前述した挿入突起２２１ａと対応するように挿入溝５１５ａがそれぞれ形成される。したがって、本体２００ａとグレーティング５００ａとの結合時、本体２００ａの挿入突起２２１ａがグレーティング５００ａのカバー５１０ａ底面に形成された挿入溝５１５ａに対応結合して本体２００ａに対するグレーティング５００ａの流動が防止される。
【００６３】
雨天時の雨水は、グレーティング５００ａ上側面の雨水流入口５１１と側面の雨水透湿口５１２を介して内部に流入した後、不織布フィルタ３２０ａを通過する過程で異物がこされ、このように異物が除去された雨水は、格子網３１０ａを通過して本体２００ａの空間部２１０ａに貯蔵され、排水口２７０を介して地中に供給される。
【００６４】
ここで、排水口２７０に備えられる流量調節部材によって一定時間の間一定の量の雨水が持続して地中に供給され得、水供給管２６０を介して本体２００ａの空間部２１０ａに水を供給することによって渇水期にも街路樹の枯死を防止できることは前述した第１実施例の同様である。
【００６５】
第３実施例
図６は本発明の第３実施例による集水境界ブロックの斜視図である。以下、前述した実施例と同じ機能をする同じ構成に対しは同じ図面符号を付与し、重複する説明は省略する。
【００６６】
本発明の第３実施例によれば、複数の集水境界ブロック１００ｂを直列または並列連結することによって、いずれか一つの集水境界ブロック１００ｂの内部に流入する水の量が貯蔵容量を超える場合、他の集水境界ブロック１００ｂに越流して貯蔵されるようにすることができる。
【００６７】
このために、本発明の第３実施例による集水境界ブロック１００ｂは、本体２００，２００ａの長さ方向一側の上端部には空間部２１０，２１０ａと連通する連結具２８１ｂが突出形成され、他側上端部には隣接する他の集水境界ブロック１００ｂの連結具２８１ｂが挿入されるように連結穴２８２ｂが貫通形成される。
【００６８】
例えば、図６に示すように２個の集水境界ブロック１００ｂを長さ方向に直列連結する場合、図面上左側の集水境界ブロック１００ｂに形成された連結具２８１ｂが図面上右側の集水境界ブロック１００ｂに形成された連結穴２８２ｂに挿入され、左側の集水境界ブロック１００ｂに貯蔵された水が連結具２８１ｂを介して右側の集水境界ブロック１００ｂに越流する。
【００６９】
図７は本発明の第３実施例による集水境界ブロックの使用状態図である。
【００７０】
図７には３個の集水境界ブロック１００ｂが直列連結された例が示されているが、集水境界ブロック１００ｂの連結個数は、必要に応じて適切に選択できる。
【００７１】
この時、図７で最左側の集水境界ブロック１００ｂには連結穴２８２ｂを介して地中に水が流出することを防止するために、連結穴２８２ｂが閉鎖されているか、最初から連結穴２８２ｂを形成しないこともできる。
【００７２】
また、地中に水を供給するための排水口２７０と渇水期時に水の補充を受けるための水供給管２６０は、図７に示すように直列連結された複数の集水境界ブロック１００ｂの中のいずれか一つにのみ形成されてもよく、これとは異なり複数の集水境界ブロック１００ｂに水供給管２６０と排水口２７０が形成されることも可能である。
【００７３】
さらに、図７に示すように集水境界ブロック１００ｂの連結具２８１ｂが排水管６００に連通され、集水境界ブロック１００ｂに流入した水の量が貯蔵可能な容量を超える場合、排水管６００を介して下水道に排水されるようにすることもできる。
【００７４】
一方、上の実施例では複数の集水境界ブロック１００ｂが連結具２８１ｂと連結穴２８２ｂを介して直接結合される例を説明したが、これとは異なり、連結具２８１ｂと連結穴２８２ｂが別途の中空パイプ（図示せず）によって連結されることも可能であることはもちろんである。
【００７５】
また、上の実施例では複数の集水境界ブロック１００ｂが長さ方向に直列連結された例を説明したが、本体２００，２００ａの幅方向の一面と他面にそれぞれ連結具２８１ｂと連結穴２８２ｂが形成されることによって、複数の集水境界ブロック１００ｂを本体２００，２００ａの幅方向に並列連結することも可能である。
【００７６】
図８は本発明の第３実施例による集水境界ブロックの結合図である。
【００７７】
図６と図７を参照して前述した通り、複数の集水境界ブロック１００ｂは、本体２００，２００ａの長さ方向の両側にそれぞれ形成される連結具２８１ｂと連結穴２８２ｂを介して直接結合され得る。
【００７８】
この時、隣接する一対の集水境界ブロック１００ｂ間の結合をさらに強固にするために、図８に示すように結合部位の境界線を覆うように本体２００，２００ａの外側面に結合ブラケット７００ｂが結合され得る。このために、本体２００，２００ａの幅方向の一面または両面にそれぞれ少なくとも一つ以上の締結部２９１ｂが突出形成され、この締結部２９１ｂに結合ブラケット７００ｂが結合される。例えば、結合ブラケット７００ｂの締結穴７１０ｂに締結部２９１ｂを挿入した後、結合ブラケット７００ｂの外側に締結部２９１ｂにナットなどの締結具２９２ｂをねじ結合することによって、隣接する一対の集水境界ブロック１００ｂが結合ブラケット７００ｂにより強固に結合され得る。
【００７９】
図９は本発明の第３実施例による集水境界ブロックと根拡張防止台の結合図である。
【００８０】
本発明の第３実施例によれば、図９に示すように街路樹の３面方向を囲むように「Ｕ」字形状の根拡張防止台８００ｂを設置し、根拡張防止台８００ｂの一側開放部に集水境界ブロック１００ｂを設置して街路樹の四方を囲むことによって、街路樹の根拡張による歩道ブロックや道路の破損を防止できる。
【００８１】
この時、根拡張防止台８００ｂの両端には締結穴８１１ｂが貫通形成された折曲部８１０ｂが形成され、集水境界ブロック１００ｂの締結部２９１ｂがこの締結穴８１１ｂに挿入された後、ナットなどの締結具２９２ｂで固定され得る。
【００８２】
一方、図９に示す実施例の場合、街路樹の３面方向を根拡張防止台８００ｂで囲み、残りの一方向に一つの集水境界ブロック１００ｂを設置する例を示しているが、これは本発明の一実施例に過ぎず、例えば「Ｌ」字形態の根拡張防止台８００ｂで街路樹の２面方向を囲み、一対の集水境界ブロック１００ｂを直角配置し、残りの２方向を囲むようにするなど、根拡張防止台８００ｂの形態と集水境界ブロック１００ｂの配置形態および個数を必要に応じて適切に選択できることはもちろんである。
【００８３】
以上、本発明の実施例について説明したが、本発明が属する技術分野における通常の知識を有する者であれば、本発明の特許請求の範囲を外れることなく、多様に変形実施できると理解することができる。
【産業上利用の可能性】
【００８４】
本発明による集水境界ブロックによれば、都心の砂漠化と樹木の枯死を防止できる。
【００８５】
また、本発明による集水境界ブロックによれば、集水効率が向上し、排水口を介して地中に供給される水の量を調節できる。
【００８６】
また、本発明による集水境界ブロックによれば、日照りなど渇水期にも持続して地中に水を供給できる。
【図１】
2019526726.tif 000003
【図２】
2019526726.tif 000004
【図３】
2019526726.tif 000005
【図４】
2019526726.tif 000006
【図５】
2019526726.tif 000007
【図６】
2019526726.tif 000008
【図７】
2019526726.tif 000009
【図８】
2019526726.tif 000010
【図９】
2019526726.tif 000011
【国際調査報告】
2019526726.tif 000012
2019526726.tif 000013
2019526726.tif 000014
2019526726.tif 000015